(57)【要約】【課題】本発明は、使用形態に応じて、入力ペンの取付け位置を変更可能な携帯型電子機器を提供する。【解決手段】パソコン本体１、キーボード２、ブック型カバー３、ペン５、第１及び第２のペンホルダーを有するパソコンＡにおいて、キーボード２と第２のペンホルダー４が取り外し可能に形成されているため、キーボード２と第２のペンホルダー４を取りはずした状態にした後、ブック型カバー３の第１の表紙部３１と第２の表紙部３２とを連結部３３を介して閉じ、バンド３５のホック３８を第１の表紙部３１のホック３９と係合させた状態として、第１のペンホルダー３５を使用することにより、携帯に適した状態へと使用形態を容易に変更できる。【選択図】　図２
2004030096.tif 000002
【特許請求の範囲】
【請求項１】
情報を表示するとともに、ペン入力可能な表示画面を有する機器本体と、
この機器本体とは別体に形成され、前記機器本体に対して情報を入力するキーを備えたキーボードと、
連結部を介して開閉可能に連結された第１の表紙部および第２の表紙部を有し且つ前記第１の表紙部の内面部に前記機器本体が取り付けられ、前記第２の表紙部の内面部に前記キーボードが取り付けられたカバー部と、
このカバー部に設けられ前記ペンを挿脱可能に保持可能な第１のペンホルダーと、
前記カバー部に対して着脱可能に形成され、前記ペンを保持可能な第２のペンホルダーと、
を有することを特徴とする携帯型電子機器。
【請求項２】
前記第２のペンホルダーは、前記カバー部において取り付けられる前記機器本体と前記キーボードとの間の位置に着脱可能に取り付けられることを特徴とする請求項１記載の携帯型電子機器。
【請求項３】
前記第２のペンホルダーは引掛け部を有し、
前記カバー部は、取り付けられる前記機器本体と前記キーボードとの間の位置にポケット部を有し、
前記第２のペンホルダーに設けられた引掛け部を前記ポケット部に差し込む事により、前記ブック型カバーに対して着脱可能に取り付けられることを特徴とする請求項１記載の携帯型電子機器。
【請求項４】
前記第２のペンホルダーは第１の接着部材が取り付けられており、
前記カバー部は、取り付けられる前記機器本体と前記キーボードとの間の位置に第２の接着部材が取り付けられており、
前記第２のペンホルダーに設けられた第２の接着部材を前記カバー部の第２の接着部材に着脱可能に取り付けられることを特徴とする請求項１記載の携帯型電子機器。
【発明の詳細な説明】
【０００１】
【発明の属する技術分野】
本発明は、上面部に表示画面が設けられた機器本体を備え、且つこの機器本体をブック型のカバーで外装する携帯型電子機器に関する。
【０００２】
【従来の技術】
近年、携帯型電子機器の発達は目覚しいものがあり、ペン入力型の電子手帳等も広く普及してきている。電子手帳の中にはワープロ機能や表計算機能、更にはインターネット接続機能やメール通信機能を持つものも珍しくない。
【０００３】
このような携帯型電子機器として用いられるパーソナルコンピュータ（以下パソコンと称する）には、例えば、上面部に情報を表示する表示画面を有するペン入力可能な機器本体と、キーボードとを有しており、更には機器本体やキーボードを外側から挟むことによりこれらを保護するブック型のカバーを備えたものもある。
【０００４】
このような従来の技術として、特開平６−１１９０８０号公報には、表示画面部と画面切替えキーからなる本体部と、数字等の多数のキーが設けられた蓋部とからなり、本体部と蓋部との接続部分に、入力ペンが取付ける構造が開示されている。
【０００５】
【発明が解決しようとする課題】
しかしながら、従来の装置では、入力ペンの取付け位置が、常に本体部と蓋部との接続部分に設けられており、電子機器を使用する際に、入力ペンの取付け位置が邪魔になったとしても、入力ペンの取付け位置を変えることは不可能であった。従って、使用上、入力ペンの取付け位置が不便な場所にあった場合には、利用者側が考慮して使用するしかないという状態にあった。
【０００６】
本発明は、以上の点に鑑みなされたもので、使用形態に応じて、入力ペンの取付け位置を変更可能な携帯型電子機器を提供することを目的とする。
【０００７】
【課題を解決するための手段】
上記目的を達成するために、本発明の携帯型電子機器は、情報を表示するとともに、ペン入力可能な表示画面を有する機器本体と、この機器本体とは別体に形成され、前記機器本体に対して情報を入力するキーを備えたキーボードと、連結部を介して開閉可能に連結された第１の表紙部および第２の表紙部を有し且つ前記第１の表紙部の内面部に前記機器本体が取り付けられ、前記第２の表紙部の内面部に前記キーボードが取り付けられたカバー部と、このカバー部に設けられ前記ペンを挿脱可能に保持可能な第１のペンホルダーと、前記カバー部に対して着脱可能に形成され、前記ペンを保持可能な第２のペンホルダーと、を有することを特徴とする。
【０００８】
【発明の実施の形態】
以下、本発明に係る実施の形態について図面を参照して詳細に説明する。本実施の形態は、一例としてパソコンに適用したもので、図１乃至図５を用いて説明する。図１は、本発明の一実施の形態としてのパソコンＡにおいてブック型カバーを開いた状態を示す図であり、図１（ａ）は平面図、図１（ｂ）は側面図である。
【０００９】
また、図２は、パソコンＡにおいて後述するキーボード２とペンホルダー４を取り外した状態でブック型カバーを開いた状態を示す図であり、図２（ａ）は平面図、図２（ｂ）は側面図である。図３は、取り外し可能な第２のペンホルダー４の形状を示す図である。
【００１０】
図４は、第２のペンホルダー４の形状の他の実施例を説明する図である。図５は、パソコンＡにおいてキーボード２とペンホルダー４を取り外した状態でブック型カバー３を閉じた状態を示す図であり、図５（ａ）は平面図、図５（ｂ）は側面図である。
【００１１】
図１に示すパソコンＡは、パソコン本体１、キーボード２、第１のペンホルダー３６が設けられたブック型カバー３、第２のペンホルダー４、及びペン５とから構成されている。
【００１２】
パソコン本体１は、薄型の直方体をなす箱体からなるもので、その内部には図示しないがパソコンにとって必要な電子回路を構成する電子部品や回路パターンを搭載した回路基板、後述する表示画面を構成する液晶表示ディスプレイ、ＰＣカードを装填するスロッタ、メモリカードを装填する装填部等が設けられている。
【００１３】
パソコン本体１の上面部には情報を表示する表示画面１１が設けられている。この表示画面１１はパソコン本体１の上面部において広い面積を占める四角形をなすもので、前記した液晶表示ディスプレイによって構成されている。
【００１４】
パソコン本体１の上面部における一方の側面部にはカーソルキー１２と複数の操作ボタン１３が設けられている。また、図示しないが、他方の側面部にはメモリカード出入口およびＰＣカード出入口が、後面部には電源スイッチが設けられている。
【００１５】
キーボード２は、パソコン本体１と同じ大きさを有する直方体の箱体をなすもので、上面部には多数のキー２１が格子状に並べて設けられている。これらキー２１は打鍵操作により情報を入力するものである。
【００１６】
キーボード２の内部には、図示しないが、各キー２１毎にこれらキー２１の打鍵操作によって電気信号を発する接点が設けられている。このキーボード２は、信号線２２によってパソコン本体１の回路基板と接続される。
【００１７】
ブック型カバー３は、パソコン本体１を覆う第１の表紙部３１と、キーボード２を覆う第２の表紙部３２と、この第１の表紙部３１と第２の表紙部３２とを開閉可能に連結する連結部３３とから構成されている。
【００１８】
この第１の表紙部３１及び第２の表紙部３２は、パソコン本体１及びキーボード２の夫々の大きさより一回り大きい矩形をなす硬質のものである。連結部３３は第１の表紙部３１の一方の長辺縁全体と、第２の表紙部３２の一方の長辺縁全体とを連結する細長い軟質のものである。本実施の形態では、第１の表紙部３１と第２の表紙部３２と連結部３３とを一枚の皮革により一体に形成し、表紙部３１、３２に心材を内装して硬質としている。
【００１９】
第１の表紙部３１の内面部にはパソコン本体１が設けられている。本実施の形態では、図示しないが、第１の表紙部３１の内面部とパソコン本体１の下面部に、夫々ベルベットファスナが取り付けられている。
【００２０】
そして、パソコン本体１は第１の表紙部３１の内面部に載置され、パソコン本体１の下面部のベルベットファスナが第１の表紙部３１の内面部のベルベットファスナに重なって両者が固着している。これにより、第１の表紙部３１を開くと、この第１の表紙部３１に固着されたパソコン本体１も第１の表紙部３１とともに移動され、パソコン本体１の表示画面１１を有する上面部が上向きに位置するようになる。
【００２１】
第２の表紙部３２の内面部にはキーボード２が取り付けられている。本実施の形態では、第２の表紙部３２の表面部に、図２に示すような係合袋部３４が設けられている。この係合袋部３４は連結部３３に面する側部が開放されている。キーボード２の下面部には、図１（ｂ）に示すような係合片２３が設けられている。
【００２２】
キーボード２は、第２表紙部３２の内面部に載置され、係合片２３が係合袋部３４に挿脱可能に挿入係合されている。これにより第２の表紙部３２を開くと、この第２の表紙部３２に係合されたキーボード２も第２の表紙部３２とともに移動され、キーボード２のキー２１が設けられた上面部が上向きに位置するようになる。
【００２３】
また、係合袋部３４から係合片２３を取り外すことにより、図２に示すように、パソコンＡは、ブック型カバー３からキーボード２が取り外された状態となる。
【００２４】
第１の表紙部３１における外面部から連結部３３とは反対側の側面部にかけて、バンド３５と、第１のペンホルダー３６が設けられている。バンド３５は、ブック型カバー３の閉じた状態にある第１の表紙部３１と第２の表紙部３２とを保持するものである。
【００２５】
バンド３５は皮革からなるもので、ブック型カバー３の第１の表紙部３１の外面部から第１の表紙部３１の先端縁（連結部３３に連結される側縁部と反対の側縁部）と第２の表紙部３２の先端縁（連結部３３に連結される側縁部と反対の側縁部）との間を跨いで第２の表紙部３２の外面部に至る長さを有している。
【００２６】
このバンド３５は、ブック型カバー３の連結部３３の長さ方向中央に配置され、一端部が第１の表紙部３１の外面部に当接されて取付けピン３７により取り付けられている。また他端部にはホック３８が取り付けられており、第２の表紙部３２の外面部に設けられたホック３９に対して押圧することにより、ホック３８をホック３９に係合するようになっている。
【００２７】
第１のペンホルダー３６は、皮革からなるもので、情報入力用のペン５を挿脱可能な形状で設けられ、挿入されたペン５を第１の表紙部３１の側縁部と第２の表紙部３２の側縁部との間に連結部３３の長さ方向に沿って配置するよう保持する。
【００２８】
第１の表紙部３１と第２の表紙部３２との間で、連結部３３の内面部には、第２のペンホルダー４が取り付けられている。第２のペンホルダー４は、樹脂で形成されており、ブック型カバー３の上端から下端に亘って設けられている。
【００２９】
第２のペンホルダー４は、図３に示すように、その上端部および下端部に、所定の高さ寸法を有する凸部４１、４２が形成され、中央部にはペン５を保持するための複数の保持片４３が突出して形成されている。
【００３０】
第２のペンホルダー４の凸部４１、４２は、図１に示すような、パソコン本体１、キーボード２、および第２のペンホルダー４からなる状態で、ブック型カバー３の第１の表紙部３１と第２の表紙部３２とを連結部３３を介して閉じた場合に、パソコン本体１の下端部と、キーボード２の上端部との衝突を軽減させるとともに、更に信号線２２を保護するための保護パッドである。
【００３１】
第２のペンホルダー４は、その下面部に鉤状の引掛け部４４が形成されている。連結部３３の内面部の引掛け部４４に対応する位置には、引掛け部４４を挿脱可能なポケット４５が形成されている。そして、このポケット４５に引掛け部４４を差し込むことにより、第２のペンホルダー４をブック型カバー３に対して取り付け固定することができる。
【００３２】
また、ポケット４５から引掛け部４４を取り外すことにより、図２に示すように、パソコンＡは、ブック型カバー３から第２のペンホルダー４が取り外された状態となる。
【００３３】
第２のペンホルダー４の他の実施例として、図４に示す第２のペンホルダー４には、その下面部に、例えばマジックテープ等の繰り返し接着・取り外しが可能な接着部材５４ａが設けられている。
【００３４】
これに対応して、連結部３３の内面部の対応する位置には、ポケット４５の代わりに、図示せぬマジックテープ等の繰り返し接着・取り外しが可能な接着部材５４ｂが形成されている。
【００３５】
そして、この連結部３３の接着部材５４ｂに対して第２のペンホルダーの接着部材５４ａを取り付けることにより、第２のペンホルダー４をブック型カバー３に対して固定することができる。
【００３６】
また、連結部３３の接着部材５４ｂから第２のペンホルダーの接着部材５４ａを取り外すことにより、図２に示すように、パソコンＡは、ブック型カバー３から第２のペンホルダー４が取り外された状態となる。
【００３７】
このように、本実施の形態では、パソコンＡは、キーボード２と第２のペンホルダー４を取り外し可能に形成されている。従って、キーボード２と第２のペンホルダー４を取りはずすことにより、図２に示すような携帯に適した軽装な状態となる。この際、ペン５は、第１のペンホルダー３６で保持することとなる。
【００３８】
そして、図２に示す状態にした後、ブック型カバー３の第１の表紙部３１と第２の表紙部３２とを連結部３３を介して閉じ、図５に示すように、バンド３５のホック３８を第１の表紙部３１のホック３９と係合させた状態として第１のペンホルダー３５を使用することにより、携帯に適した状態へと使用形態を容易に変更することができる。
【００３９】
このように構成されたパソコンＡを据え置型として使用する場合には、図１に示すように、パソコンＡをキーボード２と第２のペンホルダー４を取り付けた状態とし、キーボード２を用いるため使用しなくなったペン５は第２のペンホルダー４に収納する。この結果、キーボード２への打鍵操作に何等支障を与えることなく、ペン５は保持される。
【００４０】
また、パソコンＡを携帯する場合には、キーボード２と第２のペンホルダー４を取り外し、図２に示す軽装な状態とした後に、ブック型カバー３の第１の表紙部３１と第２の表紙部３２とを連結部３３を介して閉じ、バンド３５のホック３８を第１の表紙部３１のホック３９と係合させて、図５に示す状態にして、第１のペンホルダー３６にペン５を挿入することにより、ユーザは最小限の機器のみを携帯可能とすることができる。
【００４１】
【発明の効果】
以上説明したように、本発明によれば、使用形態に応じて、入力ペンの取付け位置を変更することができる。
【図面の簡単な説明】
【図１】本発明の一実施の形態に係るパソコン１の外観を示す平面図および側面図。
【図２】キーボードを取り外した使用形態におけるパソコン１の外観を示す平面図および斜視図。
【図３】第２のペンホルダー４の形状を説明する図。
【図４】第２のペンホルダー４の形状の変形例を説明する図。
【図５】キーボードを取り外した使用形態におけるパソコン１を折りたたんだ状態の外観を示す平面図および斜視図。
【符号の説明】
Ａ　　パソコン
１　　パソコン本体
２　　キーボード
３　　ブック型カバー
４　　第２のペンホルダー
５　　ペン
１１　　表示画面
１２　　カーソルキー
１３　　操作ボタン
２１　　多数のキー
２２　　信号線
３１　　第１の表紙部
３２　　第２の表紙部
３３　　連結部
３４　　係合袋部
３５　　バンド
３６　　第１のペンホルダー
３７　　取付けピン
３８、３９　　ホック
４１、４２　　凸部
４３　　保持片
４４　　引掛け部
４５　　ポケット
５４ａ、５４ｂ　　接着部材
【図１】
2004030096.tif 000003
【図２】
2004030096.tif 000004
【図３】
2004030096.tif 000005
【図４】
2004030096.tif 000006
【図５】
2004030096.tif 000007